(57)【要約】【課題】走査線制御により発光素子を順次発光させる駆動回路において、走査線とデータ線がマトリックス状に交差し規則的に発光素子が配置されるような駆動回路が一般的であるが、視認者の目視条件により、走査線の速度により非発光状態の領域が感知され、画質に障害があるかのような印象を与えることがある。【解決手段】走査線Ｓ１〜Ｓ６とデータ線Ｄ１〜Ｄ６が交差する位置に発光素子Ｌ１１〜Ｌ６６をマトリックス状に複数個配置し、発光素子Ｌ１１〜Ｌ６６に電流を流すことにより発光させる駆動回路を備えた表示装置において、発光素子Ｌ１１〜Ｌ６６への走査線Ｓ１〜Ｓ６とデータ線Ｄ１〜Ｄ６の接続がマトリックス状にならないように構成し、発光する発光素子の配置に規則性を持たせないような構成とした。【選択図】図１
2013104995.tif 000002
【特許請求の範囲】
【請求項１】
走査線とデータ線が交差する位置に発光素子をマトリックス状に複数個配置し、前記発光素子に電流を流すことにより発光させる駆動回路を備えた表示装置において、前記発光素子への前記走査線と前記データ線の接続がマトリックス状にならないように構成し、発光する発光素子の配置に規則性を持たせないような構成としたことを特徴とする表示装置。
【請求項２】
前記走査線の駆動時に、前記走査線を非順次に選択することで発光する発光素子の位置を任意に選択することを可能とした請求項１に記載の表示装置。
【発明の詳細な説明】
【技術分野】
【０００１】
この発明は、複数の発光素子を配列して構成され、データ線と走査線によりダイナミック制御によって表示を行なう表示装置に関するものである。
【背景技術】
【０００２】
今日の大型映像表示装置では、市場要求における高精細・高速応答の要求に応えるべく活発な開発がすすめられている。とくにデジタルサイネージ市場などにおいては液晶モニタやプラズマディスプレイよりも大型な表示装置の要望があり、大型で高精細、かつ高輝度といった特徴を有する表示装置が求められている。このような市場においては、これまでの大型表示装置では視認者が遠距離から表示を視認する状況にくらべ遥かに表示装置に近い位置から視認するため、高輝度、視野角依存性や高速応答性が強く求められ、これらの特徴を改善する発光素子が研究、開発されている。
【０００３】
そのような中にあって、省電力や回路規模縮小による利点を得るべく、大型表示装置においてはダイナミック制御方式が多く採用されている。ダイナミック制御方式とは、複数の配線をマトリックス状に配置して、水平または垂直方向の配線を走査線とし、それと直行する配線をデータ線として、走査線とデータ線が交差する位置に発光素子を個々に配置し、データ線に接続された発光素子が、走査線選択回路によって選択された走査線に接続されている場合に発光させる制御方式である。
【０００４】
ダイナミック制御方式を有する大型表示装置において、走査線を順次選択し表示を行うと高品位な表示装置が得られ、また瞬間的な電力は同時に点灯する走査線の数に比例するため、省電力化を含めた利点を得ることができる。とくに、高速応答性を特徴とする発光素子であれば、一定の期間に走査線を選択する回数を多くすることでより利点が大きくなる。
【先行技術文献】
【特許文献】
【０００５】
【特許文献１】特開２００４−１３１１５号公報
【発明の概要】
【発明が解決しようとする課題】
【０００６】
上記段落［０００３］で述べたようなダイナミック制御方式を行う回路が複数配置される表示装置において、走査制御の方向及び速度に対して視認者の視認方向及び速度が追随した場合に、走査線選択回路によって選択されている走査線と非点灯状態の走査線がそれぞれ感知される場合があり、走査線に相当する位置で視認者にとって輝線及び暗線が見えてしまい、あたかも表示が簾状に見える可能性がある。
【０００７】
人間の肉眼はその特性上、静止をせずに移動を続けているものであるため、前記のように走査制御の方向及び速度に対して視認者の視認方向及び速度が追随する状況は少なくなく、発光素子が発光している選択された走査線と選択されずに非発光状態である走査線を感知した場合、その明るさの差は数倍にもなると考えられ、表示装置が表示する映像画質に障害を持っているような、悪い印象を与えることになる。
【０００８】
これらの問題を解決する手段として、走査線の選択周期速度を高速化する方法が考えられるが、発光素子の特性定格以上の高速応答性が必要であったり、最適な発光効率が得られず明るさが低下する場合もあるため、発光素子に供給される電力が大きくなる。また、
選択周期速度を高速化するために高機能な回路が要求されるなどの問題があった。
【０００９】
この発明は、上記のような問題を解決するためになされたものであり、発光素子の特性改善や高機能な回路を必要とすることなく前記のような画質の障害を低減するとともに、走査線選択回路を複雑化させることなく画質を改善できる表示装置を得ることを目的とする。
【課題を解決するための手段】
【００１０】
この発明に係る表示装置は、電流を流すことにより発光する発光素子と、該発光素子を駆動する回路を備え、前記発光素子がマトリックス状に配置された表示部を有する表示装置において、前記発光素子への走査線とデータ線の接続がマトリックス状にならないように構成し、発光する発光素子の配置に規則性を持たせないような構成としたものである。
【発明の効果】
【００１１】
この発明によれば、発光する発光素子の配置に規則性を持たせないため、視認者の視認方向と合致し難くなる。従って、輝線や暗線が感知し難くなり、発光素子を変更することなく従来のような走査線とデータ線がマトリックス状に配置された時に見られるような表示への違和感が低減する。
【図面の簡単な説明】
【００１２】
【図１】この発明の実施の形態１に係る表示装置の構成を示す図である。
【図２】実施の形態１に係る表示装置の対比例を示す表示装置を示す図である。
【図３】実施の形態１に係る図１の回路構成において走査線が選択されたときのそれぞれの発光状態を示す図である。
【図４】実施の形態１に係る図３において走査線の選択が一巡するまでの発光状態の発光、非発光領域の蓄積状態を示す図である。
【図５】実施の形態１の対比例である図２の回路において走査線が選択されたときのそれぞれの発光状態を示す図である。
【図６】実施の形態１の対比例である図２において走査線の選択が一巡するまでの発光状態の発光、非発光領域の蓄積状態を示す図である。
【図７】この発明の実施の形態２に係る表示装置の発光状態を示す図である。
【図８】実施の形態２に係る表示装置の、走査線の選択が一巡するまでの発光状態の発光、非発光領域の蓄積状態を示す図である。
【発明を実施するための形態】
【００１３】
実施の形態１．
以下、この発明の実施の形態１を図に基づいて説明する。図１において、この発明に係る表示装置は、データ線Ｄ１〜Ｄ６からの信号を走査線Ｓ１〜Ｓ６によって選択駆動して発光させる発光素子Ｌ１１〜Ｌ６６を有する表示部と、データ線Ｄ１〜Ｄ６を駆動する発光素子駆動回路１と、走査線Ｓ１〜Ｓ６を駆動する走査線駆動回路３と、駆動すべき走査線を走査線駆動回路３に指示する走査線選択回路２とを備えている。そして、発光素子Ｌ１１〜Ｌ６６は、データ線Ｄ１〜Ｄ６と走査線Ｓ１〜Ｓ６がマトリックス状に交差しないように構成されている。
【００１４】
前記表示部は、走査線選択回路２により選択された走査線Ｓ１〜Ｓ６を駆動する走査線駆動回路３と、表示映像データに基づき、そのデータに応じて発光制御が行われる信号をデータ線Ｄ１〜Ｄ６に送信し発光素子Ｌ１１〜Ｌ６６を駆動する発光素子駆動回路１により制御される。なお、図２は図１との対比を示すダイナミック制御方式の表示装置の回路例であり、走査線Ｓ１〜Ｓ６とデータ線Ｄ１〜Ｄ６をマトリックス状に交差して発光素子Ｌ１１〜Ｌ６６を接続した構成であり、符号１〜３は図１の符号１〜３と同一の要素であ
る。
【００１５】
次に動作を説明する。発光素子Ｌ１１、Ｌ２１、Ｌ３１、Ｌ４１、Ｌ５１、及びＬ６１はデータ線Ｄ１に接続されており、同様に発光素子Ｌ１２、Ｌ２２、Ｌ３２、Ｌ４２、Ｌ５２、及びＬ６２はデータ線Ｄ２に、発光素子Ｌ１３、Ｌ２３、Ｌ３３、Ｌ４３、Ｌ５３、及びＬ６３はデータ線Ｄ３に、発光素子Ｌ１４、Ｌ２４、Ｌ３４、Ｌ４４、Ｌ５４、及びＬ６４データ線はＤ４に、発光素子Ｌ１５、Ｌ２５、Ｌ３５、Ｌ４５、Ｌ５５、及びＬ６５はデータ線Ｄ５に、発光素子Ｌ１６、Ｌ２６、Ｌ３６、Ｌ４６、Ｌ５６、及びＬ６６はデータ線Ｄ６に接続されている。
【００１６】
一方、走査線Ｓ１〜Ｓ６において、発光素子Ｌ１１、Ｌ３２、Ｌ５３、Ｌ３４、Ｌ１５、及びＬ６６は走査線Ｓ１に、発光素子Ｌ２１、Ｌ１２、Ｌ３３、Ｌ５４、Ｌ３５、及びＬ１６は走査線Ｓ２に、発光素子Ｌ３１、Ｌ２２、Ｌ１３、Ｌ２４、Ｌ６５、及びＬ３６は走査線Ｓ３に、発光素子Ｌ４１、Ｌ６２、Ｌ２３、Ｌ４４、Ｌ２５、及びＬ５６は走査線Ｓ４に、発光素子Ｌ５１、Ｌ４２、Ｌ６３、Ｌ１４、Ｌ４５、及びＬ２６は走査線Ｓ５に、発光素子Ｌ６１、Ｌ５２、Ｌ４３、Ｌ６４、Ｌ５５、及びＬ４６は走査線Ｓ６に接続されている。上記接続は限定的なものではなく、走査線Ｓ１〜Ｓ６にそれぞれ接続される発光素子は任意である。
【００１７】
発光素子駆動回路１から信号を送信し、同時に走査線選択回路２は発光させる走査線を選択することで、選択された走査線を走査線駆動回路３により駆動し、その走査線に連なる発光素子を発光させる。走査線をＳ１→Ｓ２→Ｓ３→Ｓ４→Ｓ５→Ｓ６と選択した場合の発光（図中、白四角は発光、黒四角は非発光を示す、以下同じ）の様子を示したものが図３である。図３はデータ線Ｄ１〜Ｄ６と走査線Ｓ１〜Ｓ６がマトリックス状に交差しないように構成された場合の発光の様子を走査線一つを選択した状態を単位として時間軸で示したものである。図５は、対比例である図２のものにおいて、走査線をＳ１→Ｓ２→Ｓ３→Ｓ４→Ｓ５→Ｓ６と選択した場合の発光の様子を示したものである。また、図４および図６はそれぞれ図３、図５において、走査線の選択が一順する間の発光素子の発光、非発光領域の蓄積状態を示す図である。
【００１８】
視認者が表示部を視認する時において、走査線の選択の速度が充分に速い場合、視認者は選択された走査線の複数を蓄積した映像として感知する。例えば走査線を一順する時間が充分に短く、その時間が視認者が感知できる時間とした場合、視認者にとっては表示部は図４及び図６の走査線Ｓ６選択時の表示と同等に感知され、視認者にとって映像として完結された状態で感知される。
【００１９】
しかし、走査線を一順する時間が視認者が感知できる時間より長い場合、視認者は非発光状態と発光状態が混在した状態を感知することとなる。例えば図３〜図６において走査線を一順する時間が視認者が感知できる時間の倍であった場合、走査線が３つ選択された状態が視認者が感知できる時間となる。この時、視認者が走査線Ｓ１、Ｓ２、Ｓ３の蓄積した映像を感知したとすると、図６においては視認者は表示部の上３列のみが点灯しているように感知するが、図４においては、図６と同じように発光素子の半数が発光している状態ではあるが、発光している発光素子が分散されているため、図６の場合と比べ非発光の領域が小さく、視認者にとって感知し難くなる。
【００２０】
上記のように、この発明の実施の形態１では、視認者が感知可能な時間単位において非発光の領域が密集せずに分散されることで、視認者の肉眼において非発光領域が充分に小さければその非発光領域は発光領域によって補完され、あたかも映像が完結されたかのように認識される。このため、従来の構成では表示に障害があるかのような印象を与えていた映像においても、本発明による構成では、障害のように感じる要因による印象を薄め、
障害と感じさせない高品質な映像を提供することが可能となる。
【００２１】
実施の形態２．
実施の形態２は、実施の形態１と同じ回路構成を用いて、さらに、その走査線選択回路２において任意の走査線を選択可能としたものである。実施の形態１の構成において、さらに走査線の選択を視認者の視認方向及び速度に合致しないようにする手法を用いることにより、一層効果的な解決手法が得られる。例えば、走査線の選択を、間隔飛ばしにすることで、従来のマトリックス状では、表示を見た視認者の網膜で結像する映像が走査線に倣った直線的な映像であるのに対し、発光素子の配置が分散されかつ走査線の選択順を間隔を空けて行うことにより、ある瞬間において視認者が認識する映像はより平面的になり、選択されていない走査線に接続された発光素子が非発光であっても視認者の映像認識において補完しやすくなり、異常のない画質として認識される。
【００２２】
図７、図８は実施の形態２に係る表示装置の発光状態及び表示装置の、走査線の選択が一巡するまでの発光状態の発光及び非発光領域の蓄積状態をそれぞれ示す図である。上記実施の形態１では走査線の選択をＳ１→Ｓ２→Ｓ３→Ｓ４→Ｓ５→Ｓ６→Ｓ１→・・・と順次選択する場合について述べたが、図７においては、Ｓ１→Ｓ４→Ｓ５→Ｓ６→Ｓ２→Ｓ３→Ｓ１→・・・のように、任意に走査線を選択する場合の、走査線を選択した時の発光状態を示している。
【００２３】
図８は、走査線Ｓ１〜Ｓ６の全てが選択される１サイクル間での発光状態を示したものである。視認者が段落［００１９］の例のように、３つの走査線が選択される時間を感知できるものとした場合、Ｓ１、Ｓ４、Ｓ５の発光状態が蓄積した映像を感知することとなる。この場合、図４の場合と比べ、非発光状態の発光素子が密集する領域が小さくなっている。図４においては、非発光素子がＬ４１〜Ｌ４６までの６つが連なっているが、図８においては、非発光素子はＬ２１、Ｌ２２のように多くても２つが連なっているのみであるため、視認者にとって発光状態である発光素子が、表示部として支配的に感知され非発光状態の領域においても補完しやすい表示となっている。
【００２４】
このように、任意に走査線を選択し非発光状態の領域が密集することを回避するように選択することで、実施の形態２では実施の形態１の効果に加えてさらに視認者が感知する非発光領域を小さくし、障害のように感じる要因の印象を薄め障害と感じさせない高品質な映像を提供することが可能となる。
【符号の説明】
【００２５】
１  発光素子駆動回路、
２  走査線選択回路、
３  走査線駆動回路、
Ｌ１１〜Ｌ６６  発光素子、
Ｄ１〜Ｄ６  データ線、
Ｓ１〜Ｓ６  走査線。
【図１】
2013104995.tif 000003
【図２】
2013104995.tif 000004
【図３】
2013104995.tif 000005
【図４】
2013104995.tif 000006
【図５】
2013104995.tif 000007
【図６】
2013104995.tif 000008
【図７】
2013104995.tif 000009
【図８】
2013104995.tif 000010